(57)【要約】【課    題】構造が簡単で製作コストが安く、移動及び取り扱いが容易で、特に斜め平面切断が多い住宅外部断熱用に使用する発泡スチロール用の切断装置を提供すること。【解決手段】対向して平行に設けた一対のスライド柱下部に回転軸用ボルトを設け、該スライド柱外周に嵌合し、上下摺動するスライド枠を設け、該スライド枠内側下部にニクロム線取り付け部を設け、該スライド枠上部で押し切り取手で固接した逆Ｕ字状ワークカット用ユニットを設け、ベース部上部に水平又は傾斜可能なテーブルを載置し、上記スライド柱を鉛直方向に対して前後に傾斜可能にし、上記テーブルは、一端に蝶番を備え他端に上下自在に固設するＬアングル金具を設け、上記スライド枠下部のニクロム線取り付け部にベークライト等より形成された絶縁性を有する絶縁材と該絶縁材下部にニクロム線取り付け部と張設用スプリングを備え、上記テーブル下部ベース部に架台を設け、該架台下部に移動用キャスターを設けた発泡スチロール用切断装置。【選択図】図２
0003142694.tif 000002
【実用新案登録請求の範囲】
【請求項１】
対向して平行に設けた一対のスライド柱１００下部に回転軸用ボルト１１０を設け、該スライド柱１００外周に嵌合し、上下摺動するスライド枠１５１、１５２を設け、該スライド枠１５１、１５２内側下部にニクロム線１９０取り付け部２００を設け、該スライド枠１５１、１５２上端部で押し切り取手１５３で固接した逆Ｕ字状ワークカット用ユニット１５０を設け、ベース部１３０上部に水平又は傾斜可能なテーブル１７０を載置したことを特徴とする発泡スチロール用切断装置。
【請求項２】
上記テーブル１７０は、一端に蝶番１７１を備え、他端に該テーブルを上下自在に固設するＬアングル金具１７３を設けたことを特徴とする請求項１記載の発泡スチロール用切断装置。
【請求項３】
上記スライド枠１５１、１５２下部にベークライト等より形成された絶縁性を有する絶縁材１９３を設け、該絶縁材１９３に張設用スプリング１９４とリン青銅ばね材等から成る端子１９７を備えたニクロム線１９０取り付け部２００を備えたことを特徴とする請求項１又は請求項２記載の発泡スチロール用切断装置。
【請求項４】
上記テーブル１７０下部ベース部１３０に架台１６０を設け、該架台１６０下部に移動用キャスター１６２を設けたことを特徴とする請求項１又は請求項２、請求項３記載の発泡スチロール用切断装置。
【考案の詳細な説明】
【技術分野】
【０００１】
本考案は、発泡スチロールや発泡樹脂等を左右方向、前後方向及び上下方向に適宜に熱切断可能な装置に関する。
【背景技術】
【０００２】
従来より、この種の熱切断装置と知られているものに、特許文献１や特許文献２、３等記載のものがある。
特許文献１では、台部の対向側壁に一対の案内柱を設け、逆Ｕ字形枠体の開口部に熱切断用ニクロム線を架設してなる熱切断部をニクロム線が台部を横切るように案内柱に昇降自在に取り付け、台部の上面にニクロム線を通過させる溝部を設け、ニクロム線に給電する給電部を台部に設け、熱切断部がその自重により下降しながらニクロム線で熱切断して行く熱切断装置が提案され、下降方向切断のみならず水平方向切断、上昇方向切断もでき、切断完了に伴ってニクロム線への給電を自動的に停止することが提案されている。また、該文献に台部の側壁外面に複数個の移動用キャスターを設け、装置の移動を容易にすることが提案されている。
【０００３】
また、特許文献２では、作業テーブルの左右両側位置に支柱を鉛直に固定し、該支柱内部にスクリュウシャフトを鉛直に支持し、当該スクリュウシャフトに螺合した昇降ブロックが、上記支柱の内面に固定したガイドレールに案内されて昇降し、作業テーブルの下側位置には、回転軸を左右方向へ差し渡して軸受し、当該回転軸と上記スクリュウシャフトとを噛み合い係合し、上記回転軸を正逆回転自在な電動モータにより駆動する発泡スチロールの切断装置が提案され、小中学生や親子、年長者等に対する発泡スチロール有効利用に貢献する切断装置が提案されている。
【０００４】
さらに、特許文献３では、本体フレーム上に定盤を設け、該定盤手前の端部側に２本の支柱を立て、該各支柱にガイド部材を介して昇降自由な昇降体を設け、該昇降体の間には、加熱線が引張コイルばねを介して緊張状態で張り、発泡スチロール製のワークを切断寸法に合わせて定盤上に載置し、昇降体を固定していた取付ボルトを緩めると、両昇降体が自重により支柱に沿って下降し、加熱線がワークの上面側から順次に押し付けられつつワークを切断する発泡樹脂の切断装置が提案され、高精度の直線切断ができ、装置の小型化が図れる発泡樹脂の切断装置が提案されている。
【０００５】
しかし、上記特許文献１では、ニクロム線を下降中に停止させ、被切断物を水平移動させ水平方向にも切断可能で、被切断物を片手で押さえ、他方の手でニクロム線を上昇させて切断可能で、左記動作組み合わせで複雑な形状物の切断が可能とあるが、斜め平面切断を行うには、被切断物とニクロム線を同時に人の手で行わなければならず、きれいな斜め平面切断を行うには無理があった。
【０００６】
また、上記特許文献２では、斜め平面切断することが上記特許文献１と同じく困難で、操作性を高めるのに複雑な機構を備えているために、機器の原価が高くなるという制約条件があった。
さらに、上記特許文献３でも、斜め平面切断することが上記特許文献１，２と同じく困難で、切断精度を高めるのに複雑な構成とする必要があり、機器の原価が高くなるという制約条件があった。
【０００７】
【特許文献１】実開平６−５９００号公報
【特許文献２】特開２００２−３６１９４号公報
【特許文献３】特開平８−２７６４００号公報
【考案の開示】
【考案が解決しようとする課題】
【０００８】
上述するような先行技術の現状に鑑み、本考案では、構造が簡単で製作コストが安く、移動及び取り扱いが容易で、特に斜め平面切断が多い住宅外部断熱用に使用する発泡スチロール用切断装置を提供することを課題とする。
【課題を解決するための手段】
【０００９】
本考案者は、上記課題を解決すべく鋭意検討を重ねた結果、発泡スチロールの切断装置において、対向して平行に設けた一対のスライド柱下部に回転軸用ボルトを設け、該スライド柱外周に嵌合し、上下摺動するスライド枠を設け、該スライド枠内側下部にニクロム線取り付け部を設け、該スライド枠上端部で押し切り取手で固接した逆Ｕ字状ワークカット用ユニットを設け、ベース上部に水平又は傾斜可能なテーブルを載置することで、構造が簡単で、斜め平面切断が容易である発泡スチロールの切断装置を構成することができることを見出し、本考案を完成するに至った。
【００１０】
本考案の装置では、上記テーブルの一端に蝶番を備え、他端に該テーブルを上下自在に固設するＬアングル金具を設けることが望ましい。
また、上記スライド枠内側下部のニクロム線取り付け部にベークライト等より形成された絶縁性を有する絶縁材と該絶縁材にリン青銅ばね材等から成る端子と張設用スプリングを備えることが望ましい。
さらに、上記テーブル下部ベース部に架台を設け、該架台下部に移動用キャスターを設けることが望ましい。
【考案の効果】
【００１１】
本考案の発泡スチロールの切断装置は、被切断物を垂直に切断できることはもちろん、任意の角度で斜め平面切断が容易に行うことができ、安価に製作でき、移動と取り扱いが容易で、現場作業環境の種々変化に対応できるなどの優れた効果を奏する。
また、本考案の装置は、構造が簡単で製作コストが安く、移動及び取り扱いが容易で、特に斜め平面切断が多い住宅外部断熱用に使用する発泡スチロールの切断も容易である。尚、発泡スチロールに限らず、発泡スチロールと同等の性質を有する有機発泡材料にも有効であるが、上記発泡材料の外に木材の切断にも適用可能である。
さらに、本考案の装置は、移動及び取り扱いが容易で、現場作業環境の種々変化に対応できる。
【考案を実施するための最良の形態】
【００１２】
以下、本考案の発泡スチロール用切断装置の実施形態を図１〜５によって説明する。
（実施形態）
図１は、実施形態を示す側面図である。
同図において、１００はスライド柱で鋼材等よりなる角柱から形成され、該スライド柱１００下部に孔設し、回転軸とする回転軸用ボルト１１０が、側面に設けられた鋼板等より形成された角度調整板１２０に設けた回転軸孔１１１を挿通して該スライド柱１００が図１矢印で示す左右に回動自在に固定されている。
該角度調整板１２０は、Ｌ字状に形成され（図示せず）、ベース部１３０に溶接やネジ等で固着されている。１２１は、該角度調整板１２０に設けられた半円形状に孔設されたガイド孔で、上記スライド柱１００下部に設けた角度指示針１０１を伴締めするノブ１０２を備え、上記スライド柱１００に螺合している。
【００１３】
１２２は、角度指示板でアルミ板材に角度目盛りが刻設され、上記角度調整板１２０に日東電工製の♯５００等の両面接着テープ等で強固に固着されている。
１４０は、制御盤で、上記ベース部１３０に鉛直に固設した支持柱１２３に設けた受け板１２４に固設されている。１５０は、逆Ｕ字状ワークカット用ユニットでスライド枠１５１と１５２と該スライド枠１５１とスライド枠１５２を結合する取手１５３（図２参照）から構成され、上記スライド柱１００外周に該スライド枠１５１、１５２内周が嵌合し、上記取手１５３を上下に手動することによって、逆Ｕ字状ワークカット用ユニット１５０を上下（図２上下矢印方向）に摺動する。
【００１４】
１５４は、固定ノブで、該逆Ｕ字状ワークカット用ユニット１５０をスライド柱１００の上下方向任意の位置で螺着により固設する。
なお、逆Ｕ字状ワークカット用ユニット１５０を上下に摺動するときは、該固定ノブ１５４を締め付けない状態とする。１６０は、上記ベース部１３０を板金よりなるＬアングル材１６１を介して固設される架台で、下部にキャスター１６２を備えている。該Ｌアングル材１６１を選択的に着脱することにより上記ベース部１３０と該架台１６０を分離、接合する。
１３１は、上記ベース部１３０下部四隅に設けられたアジャストボルトで、該架台１６０と分離して該ベース部１３０を単独で設置するときの水平度を調節する。
【００１５】
図２において、１６３は、上記架台１６０下部を連設補強する補強金具である。また、１６４は、該架台１６０の四隅下部に螺着されたアジャストボルトで、上記キャスター１６２のころがり動作から開放して該架台１６０が移動しないように該架台１６０を浮かせ、水平度を調節する。
１３２と１３３は、上記ベース部１３０上面に対向して設けられた被切断物のガイドで、特に該ガイド１３３は、上記ベース部１３０に設けた長孔１３４（図３参照）を挿通したボルトナット（図示せず）で螺設され、被切断物幅を嵌合ガイドするため適宜選択的に移動螺設される。
１７０は、テーブルで一端が蝶番１７１を介し、該ベース部１３０に回動自在に固設され、他端部に鉛直方向に設けた長孔１７２を設けたＬアングル金具１７３を介して該ベース部１３０に固設されている。
【００１６】
該テーブル１７０は、図２において前後に分離して一対設けられ、図３において示すように離れて平行に該ベース部１３０に固設されている。Ｌアングル金具１７３は、該ベース部１３０に複数設けた螺合孔１７４に選択的に移動固接することができ、該テーブル１７０’傾きを調節することができる。すなわち図２で示す位置にＬアングル１７３を位置させたとき、該テーブル１７０’傾きは緩やかで、図３で示す螺合孔１７４の位置では、該テーブル１７０’傾きを上記より急傾きに調節することができる。
【００１７】
図２において、１８０はニクロム線１９０のカバーで、鋼板等よりなりコの字状に形成されている。図４は、該カバー１８０の両端要部を拡大斜視図で示し、該コの字状のカバー１８０内寸法Ｗ１は、図１に示すスライド枠１５１，１５２の幅Ｗ２寸法より若干大きく形成され、該コの字状のカバー１８０両端は、上記スライド枠１５１、１５２を挟持摺動する。１８１はローラーガイドで、上記逆Ｕ字状ワークカット用ユニット１５０の上記スライド枠１５１と１５２の内側面１５５、１５６に当接して転がる。
【００１８】
上記構成で、該カバー１８０の下端１８３に上昇方向の力が加えられたとき、容易に該カバー１８０が上昇する。また、上昇方向の力が無くなったときは、自重で下降する。さらに、該カバー１８０を斜めに手で持ち上げることによって、容易に取り外すことが可能な寸法に該カバー１８０の下端１８３に折り曲げフランジ１８４を形成している。該折り曲げフランジ１８４は、発泡スチロールを切断する時に当接し、傷を与えないよう保護をする。１８２は、ニクロム線１９０で加熱された暖気を逃がす排気孔で、上記コの字状のカバー１８０の両側面に複数設けられている。
【００１９】
図５は、ニクロム線１９０取り付け部２００の両サイドを拡大した要部正面図で、１９１は、上記スライド枠１５１下端内側面１５５に溶接等で固設したヒーター用受けブロックで、ベークライトより成る絶縁材１９３をガイドするガイド軸１９２を一体に突出して設けている。
該ガイド軸１９２は、該絶縁材１９３を貫通し、摺動可能に嵌入している。
１９４は、スプリングでネジ１９５とワッシャー１９６で一端を受け、他端は、該絶縁材１９３に当接し、該絶縁材１９３がヒーター用受けブロック１９１へ押圧されている。
【００２０】
該ネジ１９５は、上記ヒーター用ブロック１９１に設けたネジ孔１９９に該絶縁材１９３を貫通し螺着している。１９７は端子でリン青銅ばね材等から成りＬ字状に形成され、絶縁材１９３にネジ等で固接され、他端にニクロム線１９０がネジ１９８によって螺着されている。
該ネジ１９８は、工具を要さず、手で締め込むことができるタイプのネジである。図５で示す２点鎖線１８０は、上記コの字状のカバー１８０を組み込んだ状態を示し、上記ローラーガイド１８１が、該絶縁材１９３上部に当接し、該カバー１８０を支えている。
【００２１】
図３において、上記制御盤１４０は、電源コード１４１を備え、足踏みスイッチ１４２を備えている。該足踏みスイッチ１４２を押下するとニクロム線１９０に通電する。該ニクロム線１９０に通電されると、電流抵抗の大きいニクロム線１９０は加熱される。
該制御盤１４０の操作パネル１４３は、電源切断コントロール兼用の電源スイッチ１４４と通電ランプ１４５と切断ＯＮランプ１４６で構成されている。該電源スイッチ１４４は、発泡スチロールの発泡密度によってニクロム線１９０に印加する電圧を自在にセットすることができる。電圧を上昇させると電流も増加し、ニクロム線１９０の温度も更に上昇する。
該切断ＯＮランプ１４６は、上記足踏みスイッチ１４２を押下したときに点灯し、さらにもう一度押下したときに消灯し、ニクロム線１９０への通電を停止する。ニクロム線１９０などの配線を上記制御盤１４０と接続する図は、公知の手段で引き廻す（図示せず）。
【００２２】
上記構成で、発泡スチロールを鉛直に切断するときは、まずテーブル１７０に発泡スチロールを載置し、ガイド１３３を移動調整し発泡スチロールをセットした後、足踏みスイッチ１４２を押し所定温度にニクロム線１９０が加熱された後、取手１５３を鉛直下方へ押下し、発泡スチロールを押し切る。このとき、カバー１８０の下端部折り曲げフランジ１８４が発泡スチロール表面に当接した状態のままになり、スライド枠１５１と１５２の内側をローラーガイド１８１転がり、該コの字状のカバー１８０両端は、上記スライド枠１５１、１５２を挟持摺動し、ニクロム線１９０のみが降下して発泡スチロールを切断する。
【００２３】
図６に発泡スチロールの切断後の状態を斜視図で示している。
次に、発泡スチロールを斜め平面切断するときは、まずカバー１８０を発泡スチロール切断装置から取り外し、ノブ１０２を緩め、角度指示板１２２に角度指示針１０１を所望の角度θに合わせ、ノブ１０２を締める。
図１で示すＡの位置において、取手１５３を斜め下方へ押下する。足踏みスイッチ１４２の動作等上記に同じ。図７に発泡スチロールの切断後の状態を斜視図で示している。
【００２４】
発泡スチロールを長手方向に斜めに切断するときは、まずテーブル１７０を図２で示す２点鎖線で示す所望の角度に、Ｌアングル１７３の長孔１７２を挿通するボルト（図示せず）でテーブル１７０’の位置に固定し、コの字状のカバー１８０を外し、図１に示す固定ノブ１５４を緩め、取手１５３を下方へ押し下げて、ニクロム線１９０を所定の位置にセットし、固定ノブ１５４でスライド枠１５１、１５２をスライド柱１００へ固設する。さらにガイド１３３を発泡スチロールに嵌合セットする。
足踏みスイッチ１４２を押し所定温度にニクロム線１９０が加熱された後、発泡スチロールを人の手でテーブル１７０’上を滑らしながら、ニクロム線１９０に発泡スチロールを押し当てて切断する。図８に発泡スチロールの切断後の状態を斜視図で示している。
【００２５】
また、発泡スチロールを長手方向に薄い板状に切断する場合は、上記テーブル１７０を図２実線で示す位置で、ニクロム線１９０を所定の位置にセットし、上記で述べた同様の動作を行えばよい。
図９に発泡スチロールの切断後の状態を斜視図で示している。
ニクロム線１９０をセットするときは、図５において手で絶縁材１９３を２点鎖線で示す位置に位置させ、スプリング１９４を圧縮した状態で、ネジ１９８で該ニクロム線１９０を端子１９７に螺着する。その後、手を離せば該ニクロム線１９０を張設することができ、端子１９７もバネ性を有しているので、二重の張力を該ニクロム線１９０へ加えることができ、作業中のニクロム線１９０弛みを防止することができる。
【００２６】
本考案の発泡スチロール用の切断装置を移動及び使用するとき、２通りの方法がある。
一つは、架台１６０の四隅の各キャスター１６２がＢの位置で各アジャストボルト１６４がＢより上の位置Ｄで移動し、使用ときは、アジャストボルト１６４をＣの位置にセットする。二つ目は、図２に示すＬアングル１６１を取り外し撤去し、該架台１６０を分離し、軽量になった上部切断装置本体をハンドリングし、作業高さが低くなった状態で使用することができる。又は、現場の状況で、別に設けられた作業台に設置することができる。このとき、四隅のジャストボルト１３１で該切断装置本体の水平度を調整する。
【図面の簡単な説明】
【００２７】
【図１】本考案の切断装置の側面図。
【図２】本考案の切断装置の正面図。
【図３】本考案の切断装置の平面図。
【図４】本考案の切断装置の要部拡大斜視図。
【図５】本考案の切断装置の要部拡大正面図。
【図６】本考案の切断装置の発泡スチロール切断後の外観図。
【図７】本考案の切断装置の発泡スチロール切断後の外観図。
【図８】本考案の切断装置の発泡スチロール切断後の外観図。
【図９】本考案の切断装置の発泡スチロール切断後の外観図。
【符号の説明】
【００２８】
１００  スライド柱
１０１  角度指示針
１０２  ノブ
１１０  回転軸用ボルト
１１１  回転軸孔
１２０  角度調整板
１２１  ガイド孔
１２２  角度指示板
１２３  支柱
１２４  受け板
１３０  ベース部
１３１  アジャストボルト
１３２  ガイド
１３３  ガイド
１３４  長孔
１４０  制御盤
１４１  電源コード
１４２  足踏みスイッチ
１４３  操作パネル
１４４  電源スイッチ
１４５  通電ランプ
１４６  切断ＯＮランプ
１５０  逆Ｕ字状ワークカット用ユニット
１５１  スライド枠
１５２  スライド枠
１５３  取手
１５４  固定ノブ
１５５  内側面
１５６  内側面
１６０  架台
１６１  Ｌアングル材
１６２  キャスター
１６３  補強金具
１６４  アジャストボルト
１７０  テーブル
１７０’  テーブル
１７１  蝶番
１７２  長孔
１７３  Ｌアングル金具
１７４  螺合孔
１８０  カバー
１８１  ローラーガイド
１８２  排気孔
１８３  下端
１８４  折り曲げフランジ
１９０  ニクロム線
１９１  ヒーター用受けブロック
１９２  ガイド軸
１９３  絶縁材
１９４  スプリング
１９５  ネジ
１９６  ワッシャー
１９７  端子
１９８  ネジ
１９９  ネジ孔
２００  ニクロム線１９０取り付け部
【図１】
0003142694.tif 000003
【図２】
0003142694.tif 000004
【図３】
0003142694.tif 000005
【図４】
0003142694.tif 000006
【図５】
0003142694.tif 000007
【図６】
0003142694.tif 000008
【図７】
0003142694.tif 000009
【図８】
0003142694.tif 000010
【図９】
0003142694.tif 000011